(57)【要約】      （修正有）【課題】運転者がブレーキペダルを操作する時点で既にブレーキブースタに必要量の負圧が蓄積されているようにする。【解決手段】内燃機関の吸気通路３におけるスロットルバルブ３２の下流側で発生する負圧、及びエゼクタ６によって発生させる負圧をブレーキブースタ５に供給する。アクセルペダルの踏込量が単位時間あたり所定量以上減少したときには、その後にブレーキペダルが踏まれることが予想されるため、ブレーキペダルの踏み込み操作に先んじてエゼクタ６を作動させ、またはエゼクタ６によって発生させる負圧をより増大させる。【選択図】図１
2014162385.tif 000002
【特許請求の範囲】
【請求項１】
内燃機関の吸気通路におけるスロットルバルブの下流側で発生する負圧、及びエゼクタによって発生させる負圧をブレーキブースタに供給する態様の車両を制御するものであって、
アクセルペダルの踏込量が単位時間あたり所定量以上減少したときにエゼクタを作動させ、またはエゼクタによって発生させる負圧をより増大させることを特徴とする制御装置。
【発明の詳細な説明】
【技術分野】
【０００１】
本発明は、車両に実装されたブレーキブースタに必要な負圧を供給する制御を実施する制御装置に関する。
【背景技術】
【０００２】
従来より、車両の制動時に必要となる操作力、即ちブレーキペダルの踏力を軽減するために、内燃機関の吸気通路におけるスロットルバルブの下流側で発生する吸気負圧を利用して踏力を倍力するブレーキブースタが広く採用されている。
【０００３】
ブレーキブースタは、吸気負圧が蓄えられる定圧室と、大気圧が導き入れられる変圧室とを有している。運転者がブレーキペダルを踏んでいないときには、定圧室と変圧室とが連通し、かつ変圧室への大気圧の導入が遮断されている。そして、運転者によりブレーキペダルが踏まれると、定圧室と変圧室とが遮断され、かつ変圧室に大気圧が導入されて、定圧室と変圧室との圧力差による倍力作用が生じる。
【０００４】
発電機やエアコンディショナの冷媒圧縮用のコンプレッサ等の補機を稼働させているときには、補機の駆動に費やされるエンジントルクを補うため、スロットルバルブの開度を拡大して気筒に充填される吸気量及び燃料噴射量を増量補正する。この場合、吸気負圧が小さくなり（大気圧に近くなり）、ブレーキブースタに供給するべき負圧が不足することがある。そこで、吸気通路を流通する吸気の一部を利用して負圧を発生させるエゼクタ（ジェットポンプ）を付設し、当該エゼクタからブレーキブースタに負圧を供給することで、吸気負圧の変動如何によらず制動力を確保できるようにしている（下記特許文献を参照）。
【先行技術文献】
【特許文献】
【０００５】
【特許文献１】特開２００５−２５５０７２号公報
【発明の概要】
【発明が解決しようとする課題】
【０００６】
一般に、エゼクタは、ブレーキブースタに蓄積されている負圧の大きさが所定未満であることを検出したときに作動させる。
【０００７】
しかしながら、エゼクタを起動してからブレーキブースタの定圧室の負圧が必要十分な大きさに達するまでの間には、タイムラグ（応答遅れ）が存在する。それ故、運転者によるブレーキペダルの操作にブレーキブースタへの負圧の供与が間に合わず、ブレーキ操作力の倍力作用が減殺されることがあった。
【０００８】
本発明は、運転者がブレーキペダルを操作する時点で、ブレーキブースタに必要量の負圧が蓄積されているようにすることを所期の目的としている。
【課題を解決するための手段】
【０００９】
上述した課題を解決するべく、本発明では、内燃機関の吸気通路におけるスロットルバルブの下流側で発生する負圧、及びエゼクタによって発生させる負圧をブレーキブースタに供給する態様の車両を制御するものであって、アクセルペダルの踏込量が単位時間あたり所定量以上減少したときにエゼクタを作動させ、またはエゼクタによって発生させる負圧をより増大させることを特徴とする制御装置を構成した。
【発明の効果】
【００１０】
本発明によれば、運転者がブレーキペダルを操作する時点で、ブレーキブースタに必要量の負圧が蓄積されているようにすることができる。
【図面の簡単な説明】
【００１１】
【図１】本発明の一実施形態における内燃機関の概略構成を示す図。
【図２】同内燃機関の吸気通路から分流した分流路上に配設されるエゼクタを拡大して示す図。
【図３】同実施形態の制御装置が実行する処理の手順例を示すフロー図。
【発明を実施するための形態】
【００１２】
本発明の一実施形態を、図面を参照して説明する。図１に、本実施形態における車両用内燃機関の概要を示す。本実施形態における内燃機関は、火花点火式の４ストロークガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１３】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１４】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１５】
本実施形態の車両には、ブレーキブースタ５が実装されている。ブレーキブースタ５は、吸気通路３におけるスロットルバルブ３２よりも下流側の部位から吸気負圧を導き入れ、その負圧を用いてブレーキペダルの踏力を倍力する、この分野では広く知られているものである。
【００１６】
ブレーキブースタ５は、負圧を蓄える定圧室と、大気圧が加わる変圧室とを有する。運転者によりブレーキペダルが操作されていないとき、定圧室と変圧室とが連通し、かつ変圧室が大気圧から隔絶される。ブレーキペダルが操作されると、定圧室と変圧室との間が遮断され、かつ変圧室に大気が導入される。結果、定圧室と変圧室との圧力差が、ブレーキペダルの踏力を倍力する制御圧力となる。ブレーキブースタ５により増幅されたブレーキ踏力は、マスタシリンダ（図示せず）において液圧力に変換され、液圧回路（図示せず）を介してブレーキキャリパやホイールシリンダといったブレーキ装置（図示せず）に伝達される。
【００１７】
ブレーキブースタ５とスロットルバルブ３２の下流側とは、吸気負圧管路５１を介して連通している。図示例では、この吸気負圧管路５１が後述する分流路５３に接続しているが、吸気負圧管路５１をスロットルバルブ３２の下流側に直結してもよいことは言うまでもない。吸気負圧管路５１は、スロットルバルブ３２の下流側の吸気負圧をブレーキブースタ５の定圧室へと導く。吸気負圧管路５１上には、負圧を定圧室内に留め、定圧室に正圧が加わることを防止するためのチェックバルブ５２を設けてある。
【００１８】
加えて、本実施形態では、吸気通路３を流通する吸気の一部を利用して負圧を発生させるエゼクタ（ジェットポンプ）６を付設しており、スロットルバルブ３２の下流側の吸気負圧だけでなく、当該エゼクタ６からも負圧をブレーキブースタ５に供給できるようにしている。
【００１９】
エゼクタ６は、吸気通路３から枝分かれした分流路５３上に所在し、分流路５３を流れる吸気の流速を高めて負圧を生み出すベンチュリ管である。分流路５３は、吸気通路３におけるスロットルバルブ３２よりも上流側の部位と、スロットルバルブ３２よりも下流側の部位とを接続するバイパス路である。分流路５３により、吸気の一部がスロットルバルブ３２の上流側から分流し、スロットルバルブ３２を迂回してサージタンク３３に合流する。
【００２０】
図２に示すように、エゼクタ６は、スロットルバルブ３２の上流側に連なる入口方に設けたノズル６１と、スロットルバルブ３２の下流側に連なる出口方に設けたディフューザ６２と、これらノズル６１とディフューザ６２との間に介在した減圧室６３とを要素とする。エゼクタ６の入口の圧力が出口の圧力よりも高いとき、ノズル６１からディフューザ６２に向けて空気が噴出され、減圧室６３に負圧が発生する。この負圧の大きさは、エゼクタ６の入口と出口との圧力差に応じて変動する。
【００２１】
ブレーキブースタ５と減圧室６３とは、エゼクタ負圧管路５４を介して連通している。図示例では、このエゼクタ負圧管路５４が吸気負圧管路５１に接続しているが、エゼクタ負圧管路５４をブレーキブースタ５に直結してもよいことは言うまでもない。エゼクタ負圧管路５１は、減圧室６３内の負圧をブレーキブースタ５の定圧室へと導く。エゼクタ負圧管路５４上にも、負圧を定圧室内に留め、定圧室に正圧が加わることを防止するためのチェックバルブ５５を設けてある。
【００２２】
分流路５３上における、エゼクタ９よりも上流側の部位には、当該分流路５３を閉鎖することのできる制御バルブ５６を設けている。エゼクタ９を作動させない場合には、この制御バルブ５６を閉止して、吸気通路３から分流路５３への吸気の流入を遮断する。
【００２３】
内燃機関には、その吸気バルブ及び／または排気バルブの開閉タイミングを変化させることのできる可変バルブタイミング機構が付帯している。可変バルブタイミング機構の態様としては、クランクシャフトに対するカムシャフトの回転位相を液圧により進角／遅角させるものや、電磁ソレノイドバルブを採用したもの、バルブ駆動用のカムを複数用意しておきそれらカムを適宜使い分けるもの等が知られている。
【００２４】
また、内燃機関のクランクシャフトには、巻掛伝動装置（ベルト及びプーリ、またはチェーン及びスプロケット）や歯車伝動装置等（図示せず）を介して発電機（オルタネータまたはモータジェネレータ。図示せず）を接続している。発電機は、クランクシャフトから駆動力の伝達を受けて回転し、発電した電力を車載のバッテリ（図示せず）に充電したり、車両に実装された照明灯やファン、ヒータ、ソレノイドバルブやマグネットクラッチ等の各種の電気負荷に給電したりする。
【００２５】
車内の空調を司るエアコンディショナの冷媒圧縮用のコンプレッサ（図示せず）もまた、内燃機関のクランクシャフトから駆動力の伝達を受けて稼働する。クランクシャフトとコンプレッサとの間には、断接切換可能なマグネットクラッチ（図示せず）が介在している。
【００２６】
本実施形態の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００２７】
入力インタフェースには、車両の実車速を検出する車速センサから出力される車速信号ａ、クランクシャフトの回転角度及びエンジン回転数を検出するエンジン回転センサから出力されるクランク角信号ｂ、アクセルペダルの踏込量またはスロットルバルブ３２の開度をアクセル開度（いわば、要求負荷）として検出するセンサから出力されるアクセル開度信号ｃ、ブレーキペダルの踏込量を検出するセンサから出力されるブレーキ踏量信号ｄ、吸気通路３（特に、サージタンク３３）内の吸気温及び吸気負圧を検出する温度・圧力センサから出力される吸気温・吸気圧信号ｅ、内燃機関の温度を示唆する冷却水温を検出する水温センサから出力される冷却水温信号ｆ、吸気カムシャフトまたは排気カムシャフトの複数のカム角にてカム角センサから出力されるカム角信号ｇ、ブレーキブースタ５の定圧室内に蓄えられている負圧を検出するセンサから出力されるブレーキブースタ負圧信号ｈ等が入力される。
【００２８】
出力インタフェースからは、点火プラグ１２のイグナイタ１３に対して点火信号ｉ、インジェクタ１１に対して燃料噴射信号ｊ、スロットルバルブ３２に対して開度操作信号ｋ、制御バルブ５６に対して制御信号ｍ等を出力する。
【００２９】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミングといった各種運転パラメータを決定する。運転パラメータの決定手法自体は、既知のものを採用することが可能である。ＥＣＵ０は、運転パラメータに対応した各種制御信号ｉ、ｊ、ｋ、ｍを出力インタフェースを介して印加する。
【００３０】
ＥＣＵ０は、吸気通路３におけるスロットルバルブ３２の下流側にて発生する吸気負圧が小さいときに、制御バルブ５６を開弁してエゼクタ６を作動させ、当該エゼクタ６にて発生する負圧をブレーキブースタ５に供給する。
【００３１】
典型的には、駆動系のトルクコンバータ（図示せず）のロックアップを解除する程度に車速及びエンジン回転数が低い場合（車速が１０ｋｍ／ｈ以下の領域）に、エゼクタ６を作動させる。また、発電機やエアコンディショナ等の補機による負荷が大きいときには、補機の駆動に費やされるエンジントルクを補うため、スロットルバルブ３２の開度を拡大して気筒１に充填される吸気量及び燃料噴射量を増量補正するが、その場合にもエゼクタ６を作動させる。
【００３２】
また、可変バルブタイミング機構に異常が発生し、吸気バルブまたは排気バルブの開閉タイミングを変更できなくなると、（バルブオーバラップ量が大きい状態のままバルブタイミングが固定されてしまうケースがあることから）機関のアイドル時の吸気量を確保するべく、スロットルバルブ３２の開度を拡大するフェイルセーフ制御を実施する。この場合にも、エゼクタ６を作動させる。
【００３３】
その上で、運転者がブレーキペダルを操作する時点で常にブレーキブースタ５の定圧室に必要量以上の負圧が蓄積されているようにする目的で、本実施形態のＥＣＵ０は、アクセルペダルの踏込量を恒常的に監視し、その踏込量が単位時間あたり所定量以上減少したときに、エゼクタ６を作動させ、またはエゼクタ６によって発生させる負圧をより増大させることとしている。
【００３４】
運転者がアクセルペダルの踏み込みを急速に緩めるということは、その後に運転者がブレーキペダルを踏む蓋然性が高いといえる。この点に着目し、本実施形態では、アクセルペダルの踏込量が単位時間あたり所定量以上減少したことをブレーキ操作の前兆と捉え、実際にブレーキペダルが操作されるよりも早くエゼクタ６の作動を開始して、負圧をブレーキブースタ５に供給する。
【００３５】
図３に、本実施形態の制御装置０が実行する処理の手順例を示す。ＥＣＵ０は、アクセルペダルの踏込量の単位時間あたりの減少量が所定量以上である場合に（ステップＳ１）、閉じていた制御バルブ５６を開放し、または制御バルブ５６の開度をその直前よりも拡大する操作を行う（ステップＳ３）。但し、ブレーキブースタ５の定圧室に既に閾値以上の負圧が蓄積されているのであれば（ステップＳ２）、制御バルブ５６を操作してエゼクタ６を作動させる必要はない。
【００３６】
上記のステップＳ３により、エゼクタ６が起動されてブレーキブースタ５への負圧の供給が開始され、またはエゼクタ６からブレーキブースタ５に供給される負圧が増大する。ステップＳ３は、運転者によるブレーキペダルの操作を待たずに実行する。
【００３７】
ステップＳ３の後、ブレーキブースタ５の定圧室に蓄積された負圧が閾値に到達したならば（ステップＳ４）、制御バルブ５６を閉止し、または制御バルブ５６を元の開度に絞る操作を行う（ステップＳ６）。
【００３８】
ステップＳ６により、エゼクタ６からブレーキブースタ５への負圧の供給が停止され、またはエゼクタ６からブレーキブースタ５に供給される負圧が減少する。アクセルペダルの踏込量の減少が止まり、またはアクセルペダルの踏込量が逆に増大した場合にも（ステップＳ５）、同様とする。
【００３９】
本実施形態では、内燃機関の吸気通路３におけるスロットルバルブ３２の下流側で発生する負圧、及びエゼクタ６によって発生させる負圧をブレーキブースタ５に供給する態様の車両を制御するものであって、アクセルペダルの踏込量が単位時間あたり所定量以上減少したときにエゼクタ６を作動させ、またはエゼクタ６によって発生させる負圧をより増大させることを特徴とする制御装置０を構成した。
【００４０】
本実施形態によれば、ブレーキペダルの踏み込み操作に先んじてエゼクタ６を作動させ、運転者がブレーキペダルを操作する時点で既にブレーキブースタ５に必要量の負圧が蓄積されているようにすることができる。運転者が車両を減速ないし停車させようとする意思に対して遅れのないブレーキ操作が可能となり、ドライバビリティの向上に資する。
【００４１】
運転者がアクセルペダルの踏み込みを緩めたときに、エゼクタ６を作動させると、吸気の一部が分流路５３経由でスロットルバルブ３２を迂回して気筒１に向かうこととなるが、その分だけ電子スロットルバルブ３２の開度をさらに縮小することで、要求された量以上の吸気が気筒１に充填されることを抑止できる。従って、運転者の意思に沿って円滑にエンジン回転数及び車速を減速させることができる。
【００４２】
再発進または再加速の際にも、分流路５３経由で気筒１に速やかに吸気を供給することが可能であり、加速性をより高めることにつながる。
【００４３】
なお、本発明は以上に詳述した実施形態に限られるものではない。各部の具体的構成や処理の手順等は、本発明の趣旨を逸脱しない範囲で種々変形が可能である。
【産業上の利用可能性】
【００４４】
本発明は、車両に実装されたブレーキブースタの制御に適用することができる。
【符号の説明】
【００４５】
０…制御装置（ＥＣＵ）
１…気筒
３…吸気通路
３２…スロットルバルブ
３３…サージタンク
５…ブレーキブースタ
５１…吸気負圧管路
５３…分流路
５４…エゼクタ負圧管路
５６…制御バルブ
６…エゼクタ
【図１】
2014162385.tif 000003
【図２】
2014162385.tif 000004
【図３】
2014162385.tif 000005